(57)【特許請求の範囲】
【請求項１】
ユーザーの出力指示により、印刷データの画像形成を行わせる画像形成手段と、
該画像形成手段により画像形成された記録紙が取り忘れられたか否かを検知する取り忘れ検知手段と、
該取り忘れ検知手段により前記記録紙が取り忘れられたことが検知された場合、前記ユーザーの取り忘れ回数を増加させる取り忘れ回数カウント手段と、
該取り忘れ回数カウント手段により増加された前記ユーザーの取り忘れ回数が第１の所定値以上の場合には、前記ユーザーを規制ユーザーに設定する規制レベルの設定をし、前記印刷データを前記画像形成手段により画像形成させず規制ユーザー用保存領域に保存させ、前記ユーザーの取り忘れ回数が第１の所定値未満の場合には、前記印刷データを前記画像形成手段により画像形成させる取り忘れユーザー印刷規制手段と、
前記ユーザーの取り忘れ回数が前記第１の所定値以上に達した場合に、前記取り忘れユーザー印刷規制手段により、以降、前記ユーザーの前記印刷データが直接印刷されず、前記規制ユーザー用保存領域に前記印刷データが保存されることを通知する規制ユーザー通知手段とを備え、
前記取り忘れユーザー印刷規制手段は、前記ユーザーの取り忘れ回数が前記第１の所定値以上に達した後、前記取り忘れ検知手段により更に前記記録紙が取り忘れられたことが検知された場合、前記取り忘れ回数カウント手段により前記ユーザーの取り忘れ回数を増加させる値を増加させ、前記記録紙の取り忘れ回数が第２の所定値、第３の所定値、及び第４の所定値以上になった際に、段階的に更なる前記規制レベルを設定し、
前記取り忘れ回数カウント手段は、前記取り忘れ検知手段により前記記録紙が取り忘れられなかったことが検知された場合、前記ユーザーの取り忘れ回数を減少させ、
前記取り忘れユーザー印刷規制手段は、前記ユーザーが前記記録紙を取り除いたことにより、前記ユーザーの取り忘れ回数が前記第１の所定値未満になった場合、各前記規制レベルの設定を削除する
ことを特徴とする画像形成装置。
【請求項２】
前記ユーザーの取り忘れ回数が前記第２の所定値以上の場合には、所定期間、再度の出力指示が行われないと、前記規制ユーザー用保存領域に保存された前記印刷データを削除する印刷データ削除手段を備える
ことを特徴とする請求項１に記載の画像形成装置。
【請求項３】
前記ユーザーの取り忘れ回数が前記第３の所定値以上の場合には、前記規制ユーザー用保存領域に保存された前記印刷データについて、所定の認証が行われなければ前記画像形成手段による画像形成をさせないように設定する規制ユーザー設定手段を備える
ことを特徴とする請求項２に記載の画像形成装置。
【請求項４】
前記規制ユーザー設定手段は、
前記ユーザーの取り忘れ回数が前記第４の所定値以上の場合には、前記ユーザーの前記印刷データのジョブ数又はデータサイズを制限する
ことを特徴とする請求項３に記載の画像形成装置。
【請求項５】
画像形成装置により実行される画像形成方法において、
ユーザーの出力指示により、印刷データの画像形成を行い、
画像形成された記録紙が取り忘れられたか否かを検知し、
前記記録紙が取り忘れられたことを検知した場合、前記ユーザーの取り忘れ回数を増加させ、
前記ユーザーの取り忘れ回数が第１の所定値以上に達した場合に、前記ユーザーを規制ユーザーに設定する規制レベルの設定をし、以降、前記ユーザーの前記印刷データが直接印刷されず、規制ユーザー用保存領域に前記印刷データが保存されることを通知し、前記ユーザーの取り忘れ回数が前記第１の所定値以上の場合には、前記印刷データを画像形成させず前記規制ユーザー用保存領域に保存し、前記ユーザーの取り忘れ回数が前記第１の所定値未満の場合には、前記印刷データを画像形成し、
前記ユーザーの取り忘れ回数が前記第１の所定値以上に達した後、更に前記記録紙が取り忘れられたことが検知された場合、前記ユーザーの取り忘れ回数を増加させる値を増加させ、前記記録紙の取り忘れ回数が第２の所定値、第３の所定値、及び第４の所定値以上になった際に、段階的に更なる前記規制レベルを設定し、
前記記録紙が取り忘れられなかったことが検知された場合、前記ユーザーの取り忘れ回数を減少させ、
前記ユーザーが前記記録紙を取り除いたことにより、前記ユーザーの取り忘れ回数が前記第１の所定値未満になった場合、各前記規制レベルの設定を削除する
ことを特徴とする画像形成方法。
【発明の詳細な説明】
【技術分野】
【０００１】
本発明は、画像形成装置及び画像形成方法に係り、特に印刷された記録紙の取り忘れを検知する画像形成装置及び画像形成方法に関する。
【背景技術】
【０００２】
従来から、文書や画像を印刷可能な複合機（Multifunctional Peripheral, MFP）等の画像形成装置が存在する。
これらの画像形成装置は、複数のユーザーが使用することがあり、印刷された記録紙の取り忘れが問題となることがある。
【０００３】
ここで、特許文献１を参照すると、記録紙が排紙されてから一定時間の間に取り除かれなかった場合に、出力指示を行ったユーザーと取り忘れ回数とを対応付けて取り忘れユーザーリスト領域に記憶させ、取り忘れユーザーリスト領域に記憶されているユーザーの取り忘れ回数が所定回数に達した場合には、当該ユーザーを常習者リスト領域に記憶させ、常習者リスト領域に記憶されているユーザーが出力指示を行った場合には、警告手段により、取り忘れ防止を警告する警告メッセージをユーザー端末の表示部に表示させ、警告したにもかかわらず、再度取り忘れをしたユーザーについては、出力拒否ユーザーリスト領域に記憶させ、画像形成手段による画像形成を拒否する画像形成装置が開示されている（以下、従来技術１とする。）。
従来技術１では、取り忘れをよく行うユーザーを常習者として警告し、最終的には出力を拒否することで、取り忘れを防止する。
【先行技術文献】
【特許文献】
【０００４】
【特許文献１】特開２００７−１７１２５４号公報
【発明の概要】
【発明が解決しようとする課題】
【０００５】
しかしながら、従来技術１のように、最終的に出力拒否になったユーザーが出力したい場合には、管理者に出力拒否ユーザーリストから削除してもらう必要があり、再度出力可能になるまで手間と時間とがかかっていた。
結果として、出力拒否となったユーザーは、すぐに印刷を行うことができず、利便性が損なわれていた。
【０００６】
本発明は、このような状況に鑑みてなされたものであって、上述の問題点を解消する画像形成装置を提供することを課題とする。
【課題を解決するための手段】
【０００７】
本発明の画像形成装置は、ユーザーの出力指示により、印刷データの画像形成を行わせる画像形成手段と、該画像形成手段により画像形成された記録紙が取り忘れられたか否かを検知する取り忘れ検知手段と、該取り忘れ検知手段により前記記録紙が取り忘れられたことが検知された場合、前記ユーザーの取り忘れ回数を増加させる取り忘れ回数カウント手段と、該取り忘れ回数カウント手段により増加された前記ユーザーの取り忘れ回数が第１の所定値以上の場合には、前記ユーザーを規制ユーザーに設定する規制レベルの設定をし、前記印刷データを前記画像形成手段により画像形成させず規制ユーザー用保存領域に保存させ、前記ユーザーの取り忘れ回数が第１の所定値未満の場合には、前記印刷データを前記画像形成手段により画像形成させる取り忘れユーザー印刷規制手段と、前記ユーザーの取り忘れ回数が前記第１の所定値以上に達した場合に、前記取り忘れユーザー印刷規制手段により、以降、前記ユーザーの前記印刷データが直接印刷されず、前記規制ユーザー用保存領域に前記印刷データが保存されることを通知する規制ユーザー通知手段とを備え、前記取り忘れユーザー印刷規制手段は、前記ユーザーの取り忘れ回数が前記第１の所定値以上に達した後、前記取り忘れ検知手段により更に前記記録紙が取り忘れられたことが検知された場合、前記取り忘れ回数カウント手段により前記ユーザーの取り忘れ回数を増加させる値を増加させ、前記記録紙の取り忘れ回数が第２の所定値、第３の所定値、及び第４の所定値以上になった際に、段階的に更なる前記規制レベルを設定し、前記取り忘れ回数カウント手段は、前記取り忘れ検知手段により前記記録紙が取り忘れられなかったことが検知された場合、前記ユーザーの取り忘れ回数を減少させ、前記取り忘れユーザー印刷規制手段は、前記ユーザーが前記記録紙を取り除いたことにより、前記ユーザーの取り忘れ回数が前記第１の所定値未満になった場合、各前記規制レベルの設定を削除することを特徴とする。
本発明の画像形成装置は、前記ユーザーの取り忘れ回数が前記第２の所定値以上の場合には、所定期間、再度の出力指示が行われないと、前記規制ユーザー用保存領域に保存された前記印刷データを削除する印刷データ削除手段を備えることを特徴とする。
本発明の画像形成装置は、前記ユーザーの取り忘れ回数が前記第３の所定値以上の場合には、前記規制ユーザー用保存領域に保存された前記印刷データについて、所定の認証が行われなければ前記画像形成手段による画像形成をさせないように設定する規制ユーザー設定手段を備えることを特徴とする。
本発明の画像形成装置は、前記規制ユーザー設定手段は、前記ユーザーの取り忘れ回数が前記第４の所定値以上の場合には、前記ユーザーの前記印刷データのジョブ数又はデータサイズを制限することを特徴とする。
本発明の画像形成方法は、画像形成装置により実行される画像形成方法において、ユーザーの出力指示により、印刷データの画像形成を行い、画像形成された記録紙が取り忘れられたか否かを検知し、前記記録紙が取り忘れられたことを検知した場合、前記ユーザーの取り忘れ回数を増加させ、前記ユーザーの取り忘れ回数が第１の所定値以上に達した場合に、前記ユーザーを規制ユーザーに設定する規制レベルの設定をし、以降、前記ユーザーの前記印刷データが直接印刷されず、規制ユーザー用保存領域に前記印刷データが保存されることを通知し、前記ユーザーの取り忘れ回数が前記第１の所定値以上の場合には、前記印刷データを画像形成させず前記規制ユーザー用保存領域に保存し、前記ユーザーの取り忘れ回数が前記第１の所定値未満の場合には、前記印刷データを画像形成し、前記ユーザーの取り忘れ回数が前記第１の所定値以上に達した後、更に前記記録紙が取り忘れられたことが検知された場合、前記ユーザーの取り忘れ回数を増加させる値を増加させ、前記記録紙の取り忘れ回数が第２の所定値、第３の所定値、及び第４の所定値以上になった際に、段階的に更なる前記規制レベルを設定し、前記記録紙が取り忘れられなかったことが検知された場合、前記ユーザーの取り忘れ回数を減少させ、前記ユーザーが前記記録紙を取り除いたことにより、前記ユーザーの取り忘れ回数が前記第１の所定値未満になった場合、各前記規制レベルの設定を削除することを特徴とする。
【発明の効果】
【０００８】
本発明によれば、取り忘れ回数が多いユーザーの場合には、印刷データを画像形成させず、一旦、規制ユーザー用保存領域に保存するものの、ユーザー自身で再度の出力指示が可能なため、利便性が高い画像形成装置を提供することができる。
【図面の簡単な説明】
【０００９】
【図１】本発明の画像形成装置及び端末の実施の形態に係るシステム構成図である。
【図２】図１に示す画像形成装置及び端末の制御構成を示すブロック図である。
【図３】図１に示す画像形成装置の概略図である。
【図４】本発明の実施の形態に係る取り忘れユーザー規制処理のフローチャートである。
【図５】図４に示す規制ユーザー通知処理の画面例である。
【図６】本発明の実施の形態に係る保存印刷データ再出力処理のフローチャートである。
【図７】図６に示すユーザー認証処理の画面例である。
【発明を実施するための形態】
【００１０】
＜実施の形態＞
〔画像形成装置１と端末２のシステム構成〕
まず、図１を参照して、画像形成装置１と端末２とにより構成される画像形成システムのシステム構成について説明する。
【００１１】
画像形成装置１は、画像処理部１０、各種センサー群１１、原稿読取部１２、原稿給送部１３、搬送部（給紙ローラー４２２、搬送ローラー４４、排出ローラー４５）、ネットワーク送受信部１５、操作パネル部１６、画像形成部１７（画像形成手段）、及び記憶部１９等が接続されている。各部は、制御部１８によって動作制御される。
【００１２】
画像処理部１０は、ＤＳＰ（Digital Signal Processor）やＧＰＵ（Graphics Processing Unit）等の制御演算手段である。画像処理部１０は、画像データに対して所定の画像処理を行う手段であり、例えば、拡大縮小処理、濃度調整、階調調整、画像改善処理等の各種画像処理を行う。画像処理部１０は、原稿読取部１２で読み取られた画像を、ＰＤＦやＴＩＦＦ等のフォーマットのファイル単位に変換した上で、記憶部１９に印刷データ３００として記憶する。
【００１３】
各種センサー群１１は、赤外線センサー、レーザーセンサー、圧力センサー、超音波センサー、温度センサー等のセンサーであり、画像形成装置１の各部の状態を判断する。
各種センサー群１１は、スタックトレイ５０（図３）への記録紙の載置を検知することが可能である。
【００１４】
原稿読取部１２は、セットされた原稿を読み取る（スキャン）手段である。
原稿給送部１３は、原稿読取部１２で読み取られる原稿を搬送する手段である。
画像形成部１７は、ユーザーの出力指示により、端末２から取得されたり、記憶部１９に記憶されていたり、原稿読取部１２で読み取られたりしたデータから記録紙への画像形成を行わせる手段である。
搬送部は、給紙カセット４２１（図３）から記録紙を搬送し、画像形成部１７で画像形成させ、その後にスタックトレイ５０へ搬送する。
なお、原稿読取部１２、原稿給送部１３、搬送部、画像形成部１７の動作については後述する。
【００１５】
ネットワーク送受信部１５は、ネットワーク５に接続するためのＬＡＮボードや無線送受信機等を含むネットワーク接続手段である。
ネットワーク送受信部１５は、データ通信用の回線ではデータを送受信し、音声電話回線では音声信号を送受信する。
また、画像形成装置１は、ネットワーク送受信部１５を介して、端末２と接続されている。
【００１６】
操作パネル部１６は、ＬＣＤ等の表示部と、テンキー、スタート、キャンセル、複写やＦＡＸ送信やスキャナー等の動作モードの切り換えのボタン、選択された文書の印刷や送信や保存や記録等に関するジョブの実行に係る指示を行うためのボタンやタッチパネル等の入力部とを備えている。
操作パネル部１６は、ユーザーによる画像形成装置１の各種ジョブの指示を取得する。また、操作パネル部１６から取得したユーザーの指示により、各ユーザーの情報を入力、変更することも可能である。
【００１７】
制御部１８は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理手段である。
制御部１８は、記憶部１９のＲＯＭやＨＤＤに記憶されている制御プログラムを読み出して、この制御プログラムをＲＡＭに展開させて実行することで、後述する機能ブロックの各手段として動作させられる。また、制御部１８は、端末２や操作パネル部１６から入力された所定の指示情報に応じて、装置全体の制御を行う。
【００１８】
記憶部１９は、ＲＯＭ（Read Only Memory）、ＲＡＭ（Random Access Memory）等の半導体メモリーやＨＤＤ（Hard Disk Drive）等の記録媒体を用いた記憶手段である。
記憶部１９のＲＯＭやＨＤＤには画像形成装置１の動作制御を行うための制御プログラムが記憶されている。また、記憶部１９は、ユーザー毎の記録紙の取り忘れ回数を含むアカウント設定、原稿読取部１２によってスキャンされた画像データ、画像処理部１０で画像処理された画像データ、ユーザーの端末から送信された印刷文書のデータ、記録媒体から読み出された各種ファイル、サムネイル画像のデータ等も記憶している。
また、記憶部１９には、ユーザー毎の保存フォルダーの領域、後述する規制ユーザー用保存領域が含まれている。
【００１９】
なお、画像形成装置１において、制御部１８及び画像処理部１０は、ＧＰＵ内蔵ＣＰＵ等やチップ・オン・モジュールパッケージのように、一体的に形成されていてもよい。
また、制御部１８及び画像処理部１０は、ＲＡＭやＲＯＭやフラッシュメモリー等を内蔵していてもよい。
また、画像形成装置１は、ファクシミリの送受信を行うＦＡＸ送受信部を備えていてもよい。
【００２０】
端末２は、Ｉ／Ｏ部２３、入力部２４、ネットワーク送受信部２５、表示部２６、制御部２８、記憶部２９を備えている。
【００２１】
Ｉ／Ｏ部２３は、各種周辺機器（ペリフェラル）に接続するための、ＤＶＩ、アナログＲＧＢ、ＨＤＭＩ（登録商標）、ＵＳＢ、ＩＥＥＥ１３９４、シリアル、ＧＰＩＯ、パラレル、赤外線、無線等のインターフェイスを提供するチップセットや回路やコネクタ等を含む手段である。Ｉ／Ｏ部２３は、入力部２４、ネットワーク送受信部２５、及び表示部２６と接続される。
【００２２】
入力部２４は、各種設定やユーザー認証等の情報を入力するためのキーボードやマウスやタッチパネルやタッチパッド等の入力部位である。
【００２３】
ネットワーク送受信部２５は、ネットワーク５に接続するための、例えば１０００ＢＡＳＥ−Ｔ／１００ＢＡＳＥ−ＴＸ等の規格のＬＡＮインターフェイスや無線ＬＡＮインターフェイスや携帯電波送受信デバイス等である。端末２は、ネットワーク送受信部２５を介して、印刷データ３００（図３）、ログイン時のユーザーＩＤやパスワード等を送受信可能である。
ネットワーク送受信部２５は、外部のハブやルータ等に接続されていてもよい。
【００２４】
表示部２６は、ＬＣＤディスプレイや有機ＥＬディスプレイ等の表示部位である。表示部２６は、アプリケーション・ソフトウェアによる描画や、画像形成装置１からの通知等について画面表示等が可能である。
【００２５】
制御部２８は、ＣＰＵ、ＭＰＵ、ＤＳＰ、ＧＰＵ、ＡＳＩＣ等である演算・制御能力を備えた制御手段である。制御部２８は、記憶部２９に記憶された制御プログラムを、ハードウェア資源を用いて実行することで、後述する機能ブロックの各手段として動作させられる。また、制御部２８は、入力部２４から入力された所定の指示情報に応じて、端末２の装置全体の制御を行う。
【００２６】
記憶部２９は、ＲＡＭ（Random Access Memory）、ＳＳＤ（Solid State Drive）等のフラッシュメモリーディスク、ＨＤＤ（Hard Disk Drive）、磁気テープ装置、光ディスク装置等の記憶手段である。記憶部２９は、端末２を画像形成装置１の端末として機能させるための各種プログラムと印刷データ３００（図３）を記憶している。
また、記憶部２９は、ＧＵＩ（Graphical User Interface）を備えたＯＳ（Operating System）、ワードプロセッサー、表計算ソフト、描画ソフト、WWWブラウザー、電子メーラー等のアプリケーション・ソフトウェア、その他のプログラムやデータ等も記憶している。これらのプログラムやデータは、制御部２８が読み出して実行したり、書き込んだりすることが可能である。つまり、記憶部２９は、印刷データ作成部２００（図３）にて作成された印刷データ３００を一旦、記憶することも可能である。
【００２７】
〔画像形成装置１及び端末２の機能構成〕
ここで、図２を参照し、画像形成装置１及び端末２の機能構成について説明する。
画像形成装置１は、取り忘れユーザー印刷規制部１００（取り忘れユーザー印刷規制手段）、アカウント設定１１０、規制ユーザー通知部１２０（規制ユーザー通知手段）、取り忘れ検知部１３０（取り忘れ検知手段）、取り忘れ回数カウント部１４０（取り忘れ回数カウント手段）、規制ユーザー設定部１５０（規制ユーザー設定手段）、規制ユーザー用保存部１６０（規制ユーザー用保存領域）、及び印刷データ削除部１８０（印刷データ削除手段）を備えている。
端末２は、印刷データ作成部２００、及び規制通知表示部２１０を備えている。
また、画像形成装置１及び端末２の間では、印刷データ３００が送受信される。
【００２８】
取り忘れユーザー印刷規制部１００は、アカウント設定１１０を参照して、印刷データ３００を送信したユーザーの取り忘れ回数を読み出し、この取り忘れ回数が第１の所定値以上の場合には、当該ユーザーを取り忘れの常習者であると認定して、印刷の規制を行う（以下、このように、取り忘れ回数が第１の所定回数以上に達したユーザーを「規制ユーザーという。）。取り忘れユーザー印刷規制部１００は、規制ユーザーの印刷データ３００については、画像形成部１７により画像形成させずに、規制ユーザー用保存部１６０に保存させる。逆に、取り忘れユーザー印刷規制部１００は、ユーザーの取り忘れ回数が第１の所定値未満の場合には、規制ユーザーでないとして、印刷データ３００を画像形成部１７により画像形成させる。
また、取り忘れユーザー印刷規制部１００は、端末２又は操作パネル部１６からユーザー認証を行う。また、取り忘れユーザー印刷規制部１００は、端末２や図示しない記録媒体から印刷データ３００を取得する。また、取り忘れユーザー印刷規制部１００は、規制ユーザー用保存部１６０に保存された印刷データ３００を、所定の認証後に画像形成部１７で出力させる。
【００２９】
アカウント設定１１０は、記憶部１９に設定されたデータベースである。アカウント設定１１０は、ユーザーのアカウント毎に、ユーザーＩＤ（Identification、ユーザー名）、パスワード、取り忘れ回数、規制レベル等を保持する。このうちユーザーＩＤとパスワードとは画像形成装置１へのログインの際に用いられる。取り忘れ回数は、画像形成部１７で画像形成された記録紙を取り忘れたか否かを示す回数である。また、規制レベルは、所定期間後に印刷データ３００を削除、ネットワーク印刷禁止、受け付けるジョブ数又はデータサイズの制限といった規制ユーザーの制限である。
また、アカウント設定１１０は、他にも、権限情報、端末２のＩＰアドレス、メールアドレス等を含んでいてもよい。この権限情報は、一般ユーザーと管理者等の種別の情報を含んでいてもよい。管理者等の権限ユーザーは、規制レベルの設定や取り忘れ回数のリセット等が可能である。
アカウント設定１１０は、操作パネル部１６や端末２からユーザーが入力した各種情報を用いて登録される。
【００３０】
規制ユーザー通知部１２０は、取り忘れユーザー印刷規制部１００により、規制ユーザー用保存部１６０に印刷データ３００が保存されたことを、端末２や操作パネル部１６等に通知する。
【００３１】
取り忘れ検知部１３０は、画像形成部１７により画像形成された記録紙が取り忘れられたか否かを検知する。
取り忘れ検知部１３０は、例えば、印刷データ３００が出力された後、所定期間経っても、スタックトレイ５０（図３）に載置された記録紙が取り除かれないことを各種センサー群１１で検知した場合、取り忘れを検知する。
また、取り忘れ検知部１３０は、ユーザーがスタックトレイ５０に残されていた原稿について、操作パネル部１６で所定操作を行って、取り忘れたユーザーを認識して取り忘れを検知したと判断してもよい。このような構成の場合は、取り忘れ検知部１３０は、例えば権限ユーザーによる操作パネル部１６の入力を受け付け、取り忘れのユーザーを認定する。
【００３２】
取り忘れ回数カウント部１４０は、取り忘れ検知部１３０により記録紙が取り忘れられたことが検知された場合、アカウント設定１１０に記憶された、この取り忘れたユーザーの取り忘れ回数を増加させる。
また、取り忘れ回数カウント部１４０は、取り忘れ検知部１３０により記録紙が取り忘れられなかったことが検知された場合、アカウント設定１１０に記憶された、この取り忘れたユーザーの取り忘れ回数を減少させる。
【００３３】
規制ユーザー設定部１５０は、ユーザーの取り忘れ回数が第２の所定値以上である場合には、規制ユーザー用保存部１６０に記憶された印刷データ３００について、保持される所定期間を設定するような規制レベルを設定する。この所定期間が経過した印刷データ３００は、印刷データ削除部１８０により削除される。なお、規制ユーザー設定部１５０は所定期間が過ぎた場合には、規制ユーザー用保存部１６０に保存された印刷データ３００をすべて削除するように印刷データ削除部１８０を設定してもよい。
また、規制ユーザー設定部１５０は、ユーザーの取り忘れ回数が第３の所定値以上である場合には、規制ユーザー用保存部１６０に保存された印刷データ３００について、所定の認証が行われなければ画像形成部１７による画像形成をさせない、ネットワーク印刷の禁止といった規制レベルを、アカウント設定１１０に設定してもよい。
また、規制ユーザー設定部１５０は、ユーザーの取り忘れ回数が第４の所定値以上の場合には、ユーザーが画像形成部１７で出力可能な印刷データ３００のジョブ数又はデータサイズ等の制限等の規制レベルをアカウント設定１１０に設定してもよい。
また、規制ユーザー設定部１５０は、ユーザーの取り忘れ回数が、第１の所定値未満になった場合は、アカウント設定１１０に設定された規制レベルを解除してもよい。
【００３４】
規制ユーザー用保存部１６０は、記憶部１９に設定された保存フォルダー等である。規制ユーザー用保存部１６０は、ユーザーの取り忘れ回数が第１の所定値以上である場合には、印刷データ３００を保存する。
規制ユーザー用保存部１６０は、すべての規制ユーザーについて、保存された印刷データ３００のファイル名や端末２の使用アプリケーション・ソフトウェア名等を、ユーザー名と共に閲覧可能なように保持することが可能である。これにより、規制ユーザーであることが他のユーザーの目にも触れるため、取り忘れの抑止効果が期待できる。
なお、規制ユーザー用保存部１６０は、ユーザー毎に印刷データ３００を保持していてもよい。
【００３５】
印刷データ３００は、文字データ、画像データ、及びその他のデータを含んでいる。印刷データ３００は、端末２や他の端末（図示せず）から送信されたＰＤＬデータであってもよい。印刷データ３００には、印刷データ作成部２００により作成されたユーザーのＩＤを含めていてもよい。また、印刷データ３００には、規制ユーザーの場合、パスワードやＩＣカード等による認証が必要、出力時に所定の認証が必要、ジョブ出力優先度を低下させる、所定期間後に削除させるような設定をすることが可能である。また、印刷データ３００には、認証についても、一枚〜複数枚又は最終ページのみ認証が必要といった設定をすることが可能である。
印刷データ３００は、ユーザーが画像形成装置１に接続した記録媒体から読み込まれた文書データや画像データ等であってもよい。
また、印刷データ３００は、原稿読取部１２で読み取られ画像処理部１０で画像処理された画像データであってもよい。この場合、印刷データ３００は、ＲＧＢカラーやモノクロやグレースケールのビットマップ画像のファイルや、ランレングスやＬＺＷ等で軽度に圧縮されたファイル等となる。この場合、印刷データ３００は、画像処理部１０や制御部１８で既にＰＤＦやＴＩＦＦ等の形式に変換されたデータであってもよい。
【００３６】
印刷データ削除部１８０は、ユーザーの取り忘れ回数が第２の所定値以上の場合には、規制ユーザー用保存部１６０に保存された印刷データ３００について、規制ユーザー設定部１５０により設定された所定期間、再度の出力指示が行われない場合は削除する。
また、印刷データ削除部１８０は、規制ユーザー設定部１５０により設定された所定期間が経過した場合には、規制ユーザー用保存部１６０に保存された印刷データ３００をすべて削除してもよい。
【００３７】
印刷データ作成部２００は、図示しないアプリケーション・ソフトウェア等からの指示により、画像形成装置１用のＰＳ（Postscript（登録商標））形式等のＰＤＬ（Page Description Language）データ等として印刷データ３００を作成し、画像形成装置１へ送信する。
なお、画像形成装置１において、原稿読取部１２や外部記録媒体から、直接、印刷データ３００を取得するような構成であってもよい。
【００３８】
規制通知表示部２１０は、画像形成装置１の規制ユーザー通知部１２０から、印刷データ保存通知を受け取り、表示部２６等に報知する手段である。
【００３９】
ここで、画像形成装置１の制御部１８は、記憶部１９に記憶された制御プログラムを実行することで、取り忘れユーザー印刷規制部１００、規制ユーザー通知部１２０、取り忘れ検知部１３０、取り忘れ回数カウント部１４０、規制ユーザー設定部１５０、及び印刷データ削除部１８０として機能する。
また、画像形成装置１の記憶部１９は、アカウント設定１１０にユーザー毎の取り忘れ回数を記憶する取り忘れ回数記憶手段として機能する。また、記憶部１９は、規制ユーザー用保存部１６０に印刷データ３００を記憶する規制ユーザー用保存領域及び印刷データ記憶手段として機能する。また、記憶部１９は、第１の所定値を記憶する第１の所定値記憶手段、第２の所定値を記憶する第２の所定値記憶手段、第３の所定値を記憶する第３の所定値記憶手段、第４の所定値を記憶する第４の所定値記憶手段として機能する。
また、端末２の制御部２８は、記憶部２９に記憶された制御プログラムを実行することで、印刷データ作成部２００、及び規制通知表示部２１０として機能する。
また、端末２の記憶部２９は、印刷データ３００を記憶する印刷データ記憶手段として機能する。
また、上述の画像形成装置１の各部は、本発明の画像形成方法を実行するハードウェア資源となる。
【００４０】
〔画像形成装置１の動作〕
次に、図３を参照して、本発明の実施の形態に係る画像形成装置１の動作について説明する。
原稿読取部１２は、本体部１４の上部に配設され、原稿給送部１３は、原稿読取部１２の上部に配設されている。スタックトレイ５０は、本体部１４に形成された記録紙の排出口４１側に配設され、また、操作パネル部１６は、画像形成装置１のフロント側に配設されている。
【００４１】
原稿読取部１２は、スキャナー１２ａと、プラテンガラス１２ｂと、原稿読取スリット１２ｃとを備えている。スキャナー１２ａは、露光ランプ、及びＣＣＤ(Charge Coupled Device)やＣＭＯＳ（Complementary Metal Oxide Semiconductor）撮像センサー等から構成され、原稿給送部１３による原稿の搬送方向に移動可能に構成されている。
プラテンガラス１２ｂは、ガラス等の透明部材により構成された原稿台である。原稿読取スリット１２ｃは、原稿給送部１３による原稿の搬送方向と直交方向に形成されたスリットを有する。
【００４２】
プラテンガラス１２ｂに載置された原稿を読み取る場合には、スキャナー１２ａは、プラテンガラス１２ｂに対向する位置に移動され、プラテンガラス１２ｂに載置された原稿を走査しながら原稿を読み取って画像データを取得して、取得した画像データを本体部１４に出力する。
また、原稿給送部１３により搬送された原稿を読み取る場合には、スキャナー１２ａは、原稿読取スリット１２ｃと対向する位置に移動され、原稿読取スリット１２ｃを介し、原稿給送部１３による原稿の搬送動作と同期して原稿を読み取って画像データを取得し、取得した画像データを本体部１４に出力する。
【００４３】
原稿給送部１３は、原稿載置部１３ａと、原稿排出部１３ｂと、原稿搬送機構１３ｃとを備えている。原稿載置部１３ａに載置された原稿は、原稿搬送機構１３ｃによって、１枚ずつ順に繰り出されて原稿読取スリット１２ｃに対向する位置へ搬送され、その後、原稿排出部１３ｂに排出される。
なお、原稿給送部１３は、可倒式に構成され、原稿給送部１３を上方に持ち上げることで、プラテンガラス１２ｂの上面を開放させることができる。
【００４４】
本体部１４は、画像形成部１７を備えると共に、給紙部４２と、用紙搬送路４３と、搬送ローラー４４と、排出ローラー４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。給紙ローラー４２２、搬送ローラー４４、及び排出ローラー４５は、搬送部として機能する。記録紙は、この搬送部により搬送される。
給紙ローラー４２２によって用紙搬送路４３に繰り出された記録紙は、搬送ローラー４４によって画像形成部１７に搬送される。そして、画像形成部１７によって記録が施された記録紙は、排出ローラー４５によってスタックトレイ５０に排出される。スタックトレイに排出された記録紙があるか否かについては、各種センサー群１１のうちスタックトレイ５０のセンサーで検出可能である。この各種センサー群１１は、取り忘れ検知部１３０の構成に用いられる。
【００４５】
画像形成部１７は、感光体ドラム１７ａと、露光部１７ｂと、現像部１７ｃと、転写部１７ｄと、定着部１７ｅとを備えている。露光部１７ｂは、レーザー装置やミラーやレンズやＬＥＤアレイ等を備えた光学ユニットであり、画像データに基づいて光等を出力して感光体ドラム１７ａを露光し、感光体ドラム１７ａの表面に静電潜像を形成する。現像部１７ｃは、トナーを用いて感光体ドラム１７ａに形成された静電潜像を現像する現像ユニットであり、静電潜像に基づいたトナー像を感光体ドラム１７ａ上に形成させる。転写部１７ｄは、現像部１７ｃによって感光体ドラム１７ａ上に形成されたトナー像を記録紙に転写させる。定着部１７ｅは、転写部１７ｄによってトナー像が転写された記録紙を加熱してトナー像を記録紙に定着させる。
【００４６】
〔画像形成装置１による取り忘れユーザー規制処理〕
ここで、図４、図５を参照して、本発明の実施の形態に係る画像形成装置１による取り忘れユーザー規制処理の説明を行う。
この取り忘れユーザー規制処理では、ユーザーが端末２から印刷データ３００を画像形成装置１に送信した際に、取り忘れの常習者であった場合、規制ユーザーに設定し、この規制ユーザーについての出力を制限する。
取り忘れユーザー規制処理では、主に制御部１８が、記憶部１９に記憶されたプログラムを、各部と協働し、ハードウェア資源を用いて実行する。
以下で、図４のフローチャートを参照し取り忘れユーザー規制処理の概要をステップ毎に説明する。
【００４７】
（ステップＳ１００）
まず、制御部１８は、取り忘れユーザー印刷規制部１００を用いて、規制レベルによる制限があるか否かを判断する。
制御部１８は、端末２の印刷データ作成部２００や他の端末（図示せず）等で実行されるアプリケーション・ソフトウェアから、ネットワーク印刷のリクエストを受信した場合に、この印刷データ３００のヘッダー部分等をまず取得し、ユーザーＩＤ等からユーザーを特定する。また、制御部１８は、ユーザー認証を行ってユーザーを特定してもよい。さらに、制御部１８は、この印刷データ３００のサイズも取得する。
この上で、制御部１８は、アカウント設定１１０を参照して、特定したユーザーについて、規制レベルによる印刷データ３００の取得の制限があるか否かについて判定する。制御部１８は、当該ユーザーのネットワーク印刷が不許可、又はジョブ数や印刷データ３００のサイズ等が制限されており当該制限を超えている場合、Ｙｅｓと判定する。制御部１８は、それ以外の場合はＮｏと判定する。
Ｙｅｓの場合、制御部１８は、「規制レベルによりこの文書は印刷できません」等のメッセージを表示パネル部１６や端末２の表示部２６に表示して、取り忘れユーザー規制処理を終了する。
Ｎｏの場合、制御部１８は、処理をステップＳ１０１に進める。
【００４８】
（ステップＳ１０１）
規制レベルによる制限がなかった場合、制御部１８は、取り忘れユーザー印刷規制部１００を用いて、印刷データ取得処理を行う。
制御部１８は、端末２から印刷データ３００を取得して、記憶部１９に一旦、一次データとして保存する。
【００４９】
また、制御部１８は、画像形成装置１に接続されたフラッシュメモリーカード等の記録媒体やユーザーの保存フォルダー等に既に存在する印刷データ３００を取得し、記憶部１９に一旦、一次データとして記憶してもよい。また、制御部１８は、端末２や他の端末の保存フォルダー（図示せず）に存在する印刷データ３００を取得し、記憶部１９に一次データとして記憶してもよい。特に、ユーザーが既に規制ユーザーであった場合に、規制レベルによっては、ネットワーク印刷ができないこともあるので、このように印刷データ３００を取得してもよい。
また、制御部１８は、他の画像形成装置１や他のサーバ（図示せず）から印刷データ３００を取得し、又はファクシミリ受信した原稿等を印刷データ３００として取得してもよい。
また、制御部１８は、ユーザーがセットした原稿を原稿読取部１２で読み取らせ、読み取った原稿の画像データを印刷データ３００として記憶部１９に保存してもよい。
【００５０】
（ステップＳ１０２）
次に、制御部１８は、取り忘れユーザー印刷規制部１００により、取り忘れ回数が第１の所定値以上であったか否かを判定する。制御部１８は、アカウント設定１１０から特定したユーザーの取り忘れ回数を取得し、この取り忘れ回数が第１の所定値以上であった場合にはＹｅｓと判定する。制御部１８は、それ以外の場合、つまり第１の所定値未満であった場合には、Ｎｏと判定する。
Ｙｅｓの場合、制御部１８は、処理をステップＳ１０９に進める。
Ｎｏの場合、制御部１８は、処理をステップＳ１０３に進める。
【００５１】
（ステップＳ１０３）
取り忘れ回数が第１の所定値未満であった場合、制御部１８は、画像形成部１７により画像形成処理を行う。
制御部１８は、記憶部１９に記憶された一次データ又は規制ユーザー用保存部１６０に保存されている印刷データ３００を、レンダリング等して、画像形成部１７から出力させる。
【００５２】
（ステップＳ１０４）
次に、制御部１８は、取り忘れ検知部１３０により、取り忘れ検知処理を行う。
制御部１８は、出力完了後、取り忘れ検知部１３０により、画像形成部１７により画像形成された記録紙が取り忘れられたか否かを検知する。
取り忘れ検知部１３０は、出力後所定時間以上スタックトレイ５０から記録紙が取り除かれないことを各種センサー群１１で検知した場合、印刷データ３００にユーザーＩＤ等を埋め込んでおきスキャンしてユーザーを特定した場合等に、ユーザーを特定して取り忘れを検知する。
なお、取り忘れ検知部１３０は、ユーザーが特定できれば、任意の手段を用いることが可能である。
【００５３】
（ステップＳ１０５）
次に、制御部１８は、取り忘れ検知部１３０により、取り忘れが検知されたか否かを判定する。制御部１８は、ユーザーが特定され取り忘れが検知された場合にはＹｅｓと判定する。制御部１８は、それ以外の場合は、Ｎｏと判定する。
Ｙｅｓの場合、制御部１８は、処理をステップＳ１０６に進める。
Ｎｏの場合、制御部１８は、取り忘れユーザー規制処理を終了する。
【００５４】
（ステップＳ１０６）
取り忘れ検知部１３０により取り忘れが検知された場合、制御部１８は、取り忘れ回数カウント部１４０により、取り忘れ回数カウント増加処理を行う。
制御部１８は、取り忘れ検知部１３０により記録紙が取り忘れられたことが検知された場合、アカウント設定１１０にアクセスし、特定されたユーザーのアカウント設定の取り忘れ回数を増加させる。
つまり、制御部１８は、ユーザーが印刷データ３００の出力後、画像形成された記録紙を取り忘れてしまった場合、該当ユーザーに対して印刷物の取り忘れ回数を、例えば、「＋１」する。また、一度、規制ユーザーになったことがあるユーザーについては、この取り忘れ回数をより多く加算してもよい。
【００５５】
（ステップＳ１０７）
次に、制御部１８は、規制ユーザー設定部１５０により、取り忘れ回数が第１の所定値以上になったか否かを判定する。制御部１８は、アカウント設定１１０から特定されたユーザーの取り忘れ回数を読み出し、これが第１の所定値以上であった場合にはＹｅｓと判定する。制御部１８は、それ以外の場合は、Ｎｏと判定する。
Ｙｅｓの場合、制御部１８は、処理をステップＳ１０８に進める。
Ｎｏの場合、制御部１８は、取り忘れユーザー規制処理を終了する。
【００５６】
（ステップＳ１０８）
取り忘れ回数が第１の所定値以上になった場合、制御部１８は、規制ユーザー設定部１５０により、規制ユーザー設定通知処理を行う。
具体的には、制御部１８は、ユーザーの取り忘れ回数が第１の所定値以上に達した場合に、該当ユーザーに対してその旨通知する。また、制御部１８は、各種の印刷の規制レベルの設定を行うことも可能である。
図５（ａ）を参照すると、制御部１８は、ユーザーに対して取り忘れ規制を行う旨の通知を行う。この通知を受信した端末２の規制通知表示部２１０は、例えば、画面例５００のように、表示部２６のデスクトップ画面にポップアップメッセージとして表示欄６００を描画する。
その後、規制ユーザー設定部１５０は、取り忘れユーザー規制処理を終了する。
【００５７】
（ステップＳ１０９）
ここで、ステップＳ１０２の判定において、取り忘れ回数が第１の所定値以上であった場合、制御部１８は、取り忘れユーザー印刷規制部１００により、印刷データ保存処理を行う。
制御部１８は、取り忘れ回数カウント部１４０により増加されたユーザーの取り忘れ回数が第１の所定値以上の場合には、印刷データ３００を画像形成部１７により画像形成させず、規制ユーザー用保存部１６０に保存する。つまり、制御部１８は、規制ユーザーが端末２から出力指示を行っても、印刷を実行せず、印刷データ３００を規制ユーザー用保存部１６０に保存する。
この際、制御部１８は、この印刷データ３００について、ジョブ出力優先度を「低」と設定する。制御部１８は、このようにジョブ出力優先度が「低」に設定された印刷データ３００については、規制ユーザーが印刷指示をしても、他のユーザーの印刷ジョブの方を自動的に優先して出力する。
また、制御部１８は、規制ユーザー用保存部１６０に保存された保存印刷データ３００について、当該規制ユーザー以外の第三者に出力されないようにパスワード等を設定して保護しておくことが好ましい。
【００５８】
（ステップＳ１１０）
次に、制御部１８は、規制ユーザー通知部１２０によって、規制ユーザー保存通知処理を行う。
制御部１８は、取り忘れユーザー印刷規制部１００により規制ユーザー用保存部１６０に印刷データ３００が保存されたことを、端末２に通知する。つまり、制御部１８は規制ユーザーに対して、印刷が規制されていることを通知し、もう一度、印刷指示する必要があることを知らせる。
図５（ｂ）を参照すると、例えば、この通知を受信した端末２の規制通知表示部２１０は、画面例５０１のように、表示部２６のデスクトップ画面にポップアップメッセージとして表示欄６１０を描画する。
この際、制御部１８は、規制レベルの内容等についても通知することが可能である。また、制御部１８は、規制ユーザーに、直接画像形成装置１まできて直接印刷を行うように通知することも可能である。
このように、規制ユーザーに「取り忘れ回数が多いため印刷データ３００が直接印刷されない」ことを報知することで、効果的に取り忘れの防止を促すことが可能である。
【００５９】
（ステップＳ１１１）
次に、制御部１８は、印刷データ削除部１８０により、規制ユーザーの取り忘れ回数が第２の所定値以上であったか否かを判定する。制御部１８は、アカウント設定１１０の当該ユーザーのアカウント設定から取り忘れ回数を読み出し、第２の所定値以上であった場合にはＹｅｓと判定する。制御部１８は、それ以外の場合は、Ｎｏと判定する。
Ｙｅｓの場合、制御部１８は、処理をステップＳ１１２に進める。
Ｎｏの場合、制御部１８は、取り忘れユーザー規制処理を終了する。
【００６０】
（ステップＳ１１２）
第２の所定値以上であった場合、制御部１８は、印刷データ削除部１８０により、所定期間経過したか否かを判定する。制御部１８は、規制ユーザー用保存部１６０に保存されてから所定期間を経過した当該規制ユーザーの印刷データ３００があった場合には、Ｙｅｓと判定する。制御部１８は、それ以外の場合は、Ｎｏと判定する。
Ｙｅｓの場合、制御部１８は、処理をステップＳ１１３に進める。
Ｎｏの場合、制御部１８は、取り忘れユーザー規制処理を終了する。
【００６１】
（ステップＳ１１３）
保存されてから所定期間を経過した印刷データ３００があった場合、制御部１８は、印刷データ削除部１８０により、印刷データ削除処理を行う。
制御部１８は、規制ユーザーの取り忘れ回数が第２の所定値以上の場合、所定期間、再度の出力指示が行われないと、規制ユーザー用保存部１６０に保存された印刷データ３００を削除する。つまり、制御部１８は、所定期間以上、規制ユーザーから出力指示がない場合、保存された印刷データ３００を自動的に削除する。
以上により、制御部１８は、取り忘れユーザー規制処理を終了する。
【００６２】
〔画像形成装置１による保存印刷データ再出力処理〕
次に、図６、図７を参照して、本発明の実施の形態に係る画像形成装置１による保存印刷データ再出力処理の説明を行う。
この保存印刷データ再出力処理では、規制ユーザー用保存部１６０に保存された印刷データ３００を規制ユーザーが再度、出力指示して出力し、その後、取り忘れがあったか否かを判断して規制レベルの設定を変更する。
保存印刷データ再出力処理は、主に制御部１８が、記憶部１９に記憶されたプログラムを、各部と協働し、ハードウェア資源を用いて実行する。
以下で、図６のフローチャートを参照して、取り忘れユーザー規制処理をステップ毎に説明する。
【００６３】
（ステップＳ２００）
まず、制御部１８は、取り忘れユーザー印刷規制部１００により、ユーザー認証処理を行う。
規制ユーザーにより、規制ユーザー用保存部１６０に保存された印刷データ３００の出力指示された場合、制御部１８は、上述の規制レベルに従った認証等の処理を行う。
図７を参照すると、制御部１８は、画面例５０２のように、ユーザーのＩＤ及びパスワード入力を求めるダイアログ等である表示欄６２０を、操作パネル部１６の表示部に表示してもよい。制御部１８はＩＤ及びパスワードを取得すると、アカウント設定１１０を読み出して比較する。
なお、制御部１８は、ユーザーのＩＤ情報が記憶されたＩＣカード等や、生体認証センサー（図示せず）等による認証を行ってもよい。
また、制御部１８は、端末２の表示部２６にダイアログ等を表示させ、ユーザーからのＩＤやパスワード等を取得して認証を行ってもよい。
また、制御部１８は、規制レベルによっては、操作パネル部１６のスタートボタンの押下等を検知して、所定の認証を行ってもよい。
【００６４】
（ステップＳ２０１）
次に、制御部１８は、取り忘れユーザー印刷規制部１００により、ユーザー認証等が成功したか否かを判定する。制御部１８は、認証等が成功した場合、Ｙｅｓと判定する。制御部１８は、認証等に失敗した場合、Ｎｏと判定する。
Ｙｅｓの場合、制御部１８は、処理をステップＳ２０２に進める。
Ｎｏの場合、制御部１８は、操作パネル部１６の表示部等に「認証失敗」等の表示を行い、保存印刷データ再出力処理を終了する。
【００６５】
（ステップＳ２０２）
認証が成功した場合、制御部１８は、取り忘れユーザー印刷規制部１００により、認証成功したのが規制ユーザーであるか否かを判定する。制御部１８は、例えば、ユーザーのＩＤ及びパスワードが規制ユーザーの場合、Ｙｅｓと判定する。制御部１８は、それ以外の場合は、Ｎｏと判定する。
Ｙｅｓの場合、制御部１８は、処理をステップＳ２０３に進める。
Ｎｏの場合、制御部１８は、保存印刷データ再出力処理を終了する。
【００６６】
（ステップＳ２０３）
ユーザー認証されたのが規制ユーザーであった場合、制御部１８は、画像形成部１７により、優先低画像形成処理を行う。
この処理は、図４のステップＳ１０３の画像形成処理と同様に行う。しかしながら、規制ユーザー用保存部１６０に保存された印刷データ３００は、ジョブ出力優先度が「低」に設定されている。このため、当該規制ユーザーが操作パネル部１６の操作中であっても他のユーザーの印刷データ３００の出力が優先される。
なお、規制ユーザーは、印刷データ３００を画像形成部１７から出力する他にも、ＰＤＦデータを作成して端末２へ送信したり、ファクシミリ送信したりといった出力方法を選択することも可能である。
【００６７】
（ステップＳ２０４）
次に、制御部１８は、取り忘れ検知部１３０により、取り忘れ再検知処理を行う。
制御部１８は、規制ユーザー用保存部１６０に保存された印刷データ３００の画像形成部１７の出力後に、再度、取り忘れの検知を行う。
この処理は、図４のステップＳ１０４の取り忘れ検知処理と同様に行う。
【００６８】
（ステップＳ２０５）
次に、制御部１８は、取り忘れ検知部１３０により、取り忘れが検知されたか否かを判定する。制御部１８は、取り忘れが検知された場合にはＹｅｓと判定する。制御部１８はそれ以外の場合は、Ｎｏと判定する。
Ｙｅｓの場合、制御部１８は、処理をステップＳ２０９に進める。
Ｎｏの場合、制御部１８は、処理をステップＳ２０６に進める。
【００６９】
（ステップＳ２０６）
取り忘れが検知されなかった場合、制御部１８は、取り忘れ回数カウント部１４０により、取り忘れ回数カウント減少処理を行う。
制御部１８は、印刷完了後、出力された記録紙がスタックトレイ５０から取り除かれたことを確認した場合、取り忘れ回数を減算する。制御部１８は、例えば、アカウント設定１１０の当該規制ユーザーのアカウント設定にアクセスし、取り忘れ回数を「−１」する。
【００７０】
（ステップＳ２０７）
次に、制御部１８は、規制ユーザー設定部１５０により、減算された取り忘れ回数が第１の所定値未満になった否かを判定する。制御部１８は、当該規制ユーザーの取り忘れ回数が第１所定値未満になった場合にはＹｅｓと判定する。制御部１８は、それ以外の場合は、Ｎｏと判定する。
Ｙｅｓの場合、制御部１８は、処理をステップＳ２０８に進める。
Ｎｏの場合、制御部１８は、保存印刷データ再出力処理を終了する。
【００７１】
（ステップＳ２０８）
取り忘れ回数が第１所定値未満になった場合、制御部１８は、規制ユーザー設定部１５０により、規制レベル解除処理を行う。
制御部１８は、規制ユーザーが記録紙を取り除いたことにより、取り忘れ回数が第１所定値未満になると、アカウント設定１１０の当該規制ユーザーのアカウント設定にアクセスして、各規制レベルの設定を削除する。また、制御部１８は、規制ユーザー用保存部１６０に記憶された当該ユーザーの各印刷データ３００のジョブ出力優先度等の設定についても削除してもよい。また、制御部１８は、これらの印刷データ３００を、当該ユーザーの保存フォルダーに移してもよい。
なお、制御部１８は、減算された取り忘れ回数が０になった場合に、規制ユーザーの規制レベルを解除してもよい。
また、管理者の権限ユーザーにより、規制ユーザーの解除も可能である。この場合、権限ユーザーによる指示を操作パネル部１６で受け取ってから、解除するユーザーの取り忘れ回数を０にする設定が可能である。
また、制御部１８は、一度、規制レベルが解除されても、当該ユーザーについては、少なくとも所定期間は、再度、取り忘れをした場合に、取り忘れ回数を増加させる値を増やすよう、アカウント設定１１０に設定してもよい。
【００７２】
（ステップＳ２０９）
取り忘れが検知された場合、制御部１８は、取り忘れ回数カウント部１４０により取り忘れ回数カウント再増加処理を行う。
この処理は、図４のステップＳ１０６と同様に行う。この上で、制御部１８は、取り忘れ回数を増加する値を、例えば「＋２」にする等、通常の端末２からの印刷時より多く設定してもよい。
【００７３】
（ステップＳ２１０）
次に、制御部１８は、規制ユーザー設定部１５０により、取り忘れ回数が第２の所定値以上になったか否かを判定する。制御部１８は、アカウント設定１１０の当該規制ユーザーのアカウント設定から、取り忘れ回数を読みだし、これが第２の所定値以上であった場合にはＹｅｓと判定する。制御部１８は、それ以外の場合は、Ｎｏと判定する。
Ｙｅｓの場合、制御部１８は、処理をステップＳ２１１に進める。
Ｎｏの場合、制御部１８は、保存印刷データ再出力処理を終了する。
【００７４】
（ステップＳ２１１）
取り忘れ回数が第２の所定値以上になった場合、制御部１８は、規制ユーザー設定部１５０により、規制レベル設定処理を行う。
まず、制御部１８は、ユーザーの取り忘れ回数が第２の所定値以上の場合、所定期間、再度の出力指示が行われないと、規制ユーザー用保存部１６０に保存されている印刷データ３００が、印刷データ削除部１８０で削除されるような規制レベルに設定する。つまり所定期間内にユーザーが印刷をしなければ、自動的に印刷データ３００が削除されることになる。なお、この状態では、当該ユーザーが画像形成装置１から直接、出力指示をする必要があるように設定しても、端末２から規制ユーザー用保存部１６０に保存されている印刷データ３００を指定してネットワーク印刷可能なように構成してもよい。
【００７５】
また、制御部１８は、規制ユーザーが更に記録紙を取り忘れ、第３の所定値、第４の所定値以上になった場合に、下記で示すように段階的に規制レベルを設定していくことも可能である。
【００７６】
ユーザーの取り忘れ回数が第３の所定値以上の場合、制御部１８は、規制ユーザー用保存部１６０に保存された印刷データ３００について、所定の認証が行われなければ画像形成部１７による画像形成をさせないような規制レベルに設定する。
つまり、制御部１８は、規制ユーザーの印刷データ３００について、所定の認証が必要なように設定する。この所定の認証としては、画像形成装置１で、直接、印刷の指示が必要な認証方法を用いることが可能である。
具体的には、制御部１８は、特定されたユーザーの規制ユーザー用保存部１６０に保存された印刷データ３００すべてについて、操作パネル部１６によるパスワード認証やＩＤカードによる認証等が必要なように設定してもよい。つまり、制御部１８は、印刷する毎に、画像形成装置１の操作パネル部１６からパスワードを入力させたり、ＩＤカードで認証させたりする必要があるように設定してもよい。この際、制御部１８は、印刷データ３００の全てのページではなく、一枚〜複数枚の所定枚数毎にパスワード認証やＩＤカードによる認証等が必要なように設定してもよい。また、パスワード認証やＩＤカードによる認証は、印刷データ３００の最後のページのみ必要とするよう設定してもよい。
また、所定の認証として、より単純には、制御部１８は、印刷データ３００について、操作パネル部１６による印刷指示が必要なように設定してもよい。つまり、制御部１８は規制ユーザーが印刷を行う場合、所定枚数毎にスタートボタンの押下をしないと画像形成が開始されないといった印刷指示を要求するように設定してもよい。また、制御部１８は最後のページのみ印刷指示が必要と設定してもよい。
また、制御部１８は、これらの認証について、取り忘れ回数の増加により、段階的なペナルティを付加してもよい。制御部１８は、例えば、ユーザーの取り忘れ回数が最初に第３の所定値以上になった場合に、「最後のページのみ印刷指示が必要」と設定し、更に取り忘れ回数が増えると「複数枚のページについて印刷指示が必要」と設定し、更に増えると「一ページ毎に印刷指示が必要」、それ以上になると「一ページ毎にパスワード認証やＩＤカードによる認証が必要」となるように設定してもよい。
【００７７】
また、制御部１８は、ユーザーの取り忘れ回数が第４の所定値以上になった場合、当該ユーザーの印刷データ３００のジョブ数又はデータサイズを制限するよう規制レベルを設定してもよい。
具体的には、制御部１８は、例えば、アカウント設定１１０について、印刷データ３００を一次データとして記憶部１９に記憶可能な値を少なくし、印刷データ３００が所定のデータサイズ以上の場合は取得拒否するよう設定する。この記憶可能な印刷データ３００のジョブ数、データサイズの値は権限ユーザーが任意に設定可能である。
制御部１８は、上述の所定の認証と同様に、ユーザーが記録紙の取り忘れを更に行った場合、取り忘れ回数に対応して段階的に段階的にジョブ数やデータサイズを制限してもよい。たとえば、制御部１８は、ジョブ数を「３」「２」「１」のように少なくし、最終的に印刷可能なデータサイズを制限するといった設定を行ってもよい。
また、制御部１８は、データサイズとして、印刷データ３００のデータの容量ではなく出力するページの枚数等により制限してもよい。
【００７８】
また、制御部１８は、ユーザーの取り忘れ回数が第４の所定値以上になった場合、当該ユーザーのネットワークプリントを禁止とするよう規制レベルを設定してもよい。具体的には、制御部１８は、アカウント設定１１０を「ネットワークプリント禁止」と変更する。
つまり、このような状態になった場合、当該ユーザーは端末２からは印刷データ３００を送信できなくなる。このため、当該ユーザーは、フラッシュメモリーカード等の記録媒体を画像形成装置１に直接接続して、これに記憶された印刷データ３００を印刷するよう指示する必要がある。
なお、ネットワークプリントの禁止についても、上述のジョブ数又はデータサイズの制限と組み合わせて段階的に制限を増やしていってもよい。たとえば、制御部１８は、ユーザーの印刷データ３００のジョブ数が「０」になった再に、規制ユーザーのネットワークプリント自体を禁止するように構成してもよい。
【００７９】
このように規制レベルを設定することで、規制ユーザーの印刷データ３００を規制ユーザー用保存部１６０に記憶させるときに、記憶部１９の容量を圧迫することがなくなるという効果が得られる。
【００８０】
なお、第１の所定値、第２の所定値、第３の所定値、第４の所定値による各処理の規制レベルの設定の順番、設定の方法、組み合わせについても任意に設定可能である。つまりユーザーの取り忘れ回数が第２の所定値以上になった場合に、複数のジョブを禁止し、第３の所定値以上で自動的にデータを削除し、第４の所定値以上で印刷データ３００のサイズを制限する、といった設定が可能である。
これらの第１の所定値、第２の所定値、第３の所定値、第４の所定値等の値は、管理者の権限ユーザーが任意に設定可能である。また、規制レベル毎の具体的な処理、所定枚数や認証の方法等についても、権限ユーザーが設定し、記憶部１９の機器設定（図示せず）に保持可能である。
以上により、本発明の実施の形態に係る保存印刷データ再出力処理を終了する。
【００８１】
以上のように構成することで、以下のような効果を得ることができる。
本発明の実施の形態に係る画像形成装置１は、ユーザーの出力指示により、印刷データ３００の画像形成を行わせる画像形成部１７と、画像形成部１７により画像形成されスタックトレイ５０に排出された記録紙がスタックトレイ５０から取り忘れられたか否かを検知する取り忘れ検知部１３０と、取り忘れ検知部１３０によりスタックトレイ５０から記録紙が取り忘れられたことが検知された場合、アカウント設定１１０に記憶されたユーザーの取り忘れ回数を増加させる取り忘れ回数カウント部１４０と、取り忘れ回数カウント部１４０により増加されたユーザーの取り忘れ回数が第１の所定値以上の場合には、印刷データ３００を画像形成部１７により画像形成させず規制ユーザー用保存部１６０に保存させ、ユーザーの取り忘れ回数が第１の所定値未満の場合には、印刷データ３００を画像形成部１７により画像形成させる取り忘れユーザー印刷規制部１００とを備えることを特徴とする。
このように、本発明は、ユーザーが第１の所定値の回数、記録紙を取り忘れてしまった場合に、印刷を拒否するのではなく、印刷データ３００を画像形成装置１の特別な保存領域に保存し、再度の印刷指示を行わないと印刷できないように設定を変更する。このように、取り忘れが多いユーザーについて、再度印刷する際に別途操作を必要とすることで、従来技術１のように印刷拒否をする必要がなくなり、ユーザーの利便性を向上させることが可能となる。
また、画像形成装置１での操作を必要とさせることで、出力を行うためにユーザーが画像形成装置１まで行く必要がある状況を作りだし、印刷物の取り忘れを防止することが可能になる。
【００８２】
また、本発明の実施の形態に係る画像形成装置１は、取り忘れユーザー印刷規制部１００により、規制ユーザー用保存部１６０に印刷データ３００が保存されたことを通知する規制ユーザー通知部１２０を備えることを特徴とする。
このように、規制ユーザーとなったことを通知することで、単なる警告ではなく、記録紙の取り忘れが多いユーザーに対して画像形成装置１のそばまで行かなければならない状況をつくりだす。このため、従来技術１のように最初に単に警告するよりも効果的に取り忘れを防止することが可能となる。
【００８３】
また、本発明の実施の形態に係る画像形成装置１は、ユーザーの取り忘れ回数が第２の所定値以上の場合には、所定期間、再度の出力指示が行われないと、規制ユーザー用保存部１６０に保存された印刷データ３００を削除する印刷データ削除部１８０を備えることを特徴とする。
このように構成することで、取り忘れの多いユーザーの印刷データ３００により画像形成装置１の記憶部１９の記憶容量が圧迫されることを防ぐことが可能となる。また、規制ユーザーは、印刷されず放置された印刷データ３００について、わざわざ指示をしなくても自動的に削除されるため、利便性が高まる。
【００８４】
また、本発明の実施の形態に係る画像形成装置１の規制ユーザー設定部１５０は、ユーザーの取り忘れ回数が第４の所定値以上の場合には、ユーザーの印刷データ３００のジョブ数又はデータサイズを制限することを特徴とする。
このように構成することで、上述のように記憶容量の圧迫を具体的に防ぐことが可能となる。これに加えて、ジョブの数自体を制限することで、複数の印刷データ３００の出力による取り忘れのミスを減らすことが可能となる。また、データサイズを制限することでユーザーが印刷待ちの間に。記録紙を取得しなければならないことを忘れてしまうといった事態を避けることが可能になる。
【００８５】
また、本発明の実施の形態に係る画像形成装置１は、ユーザーの取り忘れ回数が第３の所定値以上の場合には、規制ユーザー用保存部１６０に保存された印刷データ３００について、所定の認証が行われなければ画像形成部１７による画像形成をさせないように設定する規制ユーザー設定部１５０を備えることを特徴とする。
このように構成することで、所定の認証によりユーザーの取り忘れに注意を喚起し、効      
【００８６】
〔他の実施の形態〕
なお、端末２の印刷データ作成部２００は、印刷データ３００に、例えば黄色のドット等の透かし情報のような形式でユーザーのＩＤ等を埋め込んでおくような構成も可能である。この場合、取り忘れ検知部１３０は、スタックトレイ５０に残された記録紙に気づいたユーザーが、操作パネル部１６で所定操作を行って原稿読取部１２で読み取ると、その記録紙を出力したユーザーを判別して取り忘れと判断可能である。このような構成により、画像形成部１７で画像形成された記録紙がどのユーザーにより出力されたか容易に判別可能となる。
また、端末２の印刷データ作成部２００は、規制ユーザーの場合、印刷データ３００の余白部等に、例えばランダムなキーワード等を書き込むような構成も可能である。この場合、端末２には印刷物取り忘れ防止アプリケーション・ソフトウェア等のプログラムがインストールされている。端末２は、印刷データ３００の出力後、所定時間が経過した後、この印刷物取り忘れ防止アプリケーション・ソフトウェアにより、キーワード等の入力を求められ、このキーワード等が合致しないと、画像形成装置１の取り忘れ検知部１３０に通知するような構成であってもよい。取り忘れ検知部１３０は、この通知を受信すると、取り忘れと判断する。
【００８７】
なお、本発明の端末２については、ＰＣやスマートフォン等の端末のドライバー（Driver Software）や専用アプリ（Application Software）により実現されてもよい。
また、本発明は、画像形成装置以外の情報処理装置にも適用できる。つまり、ネットワークスキャナー、スキャナーをＵＳＢ等で別途接続したサーバ等を用いる構成であってもよい。
【００８８】
なお、上記実施の形態の構成及び動作は例であって、本発明の趣旨を逸脱しない範囲で適宜変更して実行することができることは言うまでもない。
【符号の説明】
【００８９】
１  画像形成装置
２  端末
５  ネットワーク
１０  画像処理部
１１  各種センサー群
１２  原稿読取部
１２ａ  スキャナー
１２ｂ  プラテンガラス
１２ｃ  原稿読取スリット
１３  原稿給送部
１３ａ  原稿載置部
１３ｂ  原稿排出部
１３ｃ  原稿搬送機構
１４  本体部
１５、２５  ネットワーク送受信部
１６  操作パネル部
１７  画像形成部
１７ａ  感光体ドラム
１７ｂ  露光部
１７ｃ  現像部
１７ｄ  転写部
１７ｅ  定着部
１８、２８  制御部
１９、２９  記憶部
２３  Ｉ／Ｏ部
２４  入力部
２６  表示部
４１  排出口
４２  給紙部
４３  用紙搬送路
４４  搬送ローラー
４５  排出ローラー
５０  スタックトレイ
１００  取り忘れユーザー印刷規制部
１１０  アカウント設定
１２０  規制ユーザー通知部
１３０  取り忘れ検知部
１４０  取り忘れ回数カウント部
１５０  規制ユーザー設定部
１６０  規制ユーザー用保存部
１８０  印刷データ削除部
２００  印刷データ作成部
２１０  規制通知表示部
３００  印刷データ
４２１  給紙カセット
４２２  給紙ローラー
５００、５０１、５０２  画面例
６００、６１０、６２０  表示欄
【図１】
0006022417.tif 000002
【図２】
0006022417.tif 000003
【図３】
0006022417.tif 000004
【図４】
0006022417.tif 000005
【図５】
0006022417.tif 000006
【図６】
0006022417.tif 000007
【図７】
0006022417.tif 000008